(57)【要約】      （修正有）【課題】ジャム処理手段とローラ交換手段で使用する部品点数を少なくして構成を簡単にすることができ、かつ装置の小型化を実現できる原稿読取装置を提供する。【解決手段】原稿を搬送する搬送ローラ９２と、搬送ローラ９２を駆動する駆動軸９３と、駆動軸９３を支持する軸受部材９４と、を有する搬送ローラユニット９と、搬送ローラ９２に原稿を押し付ける押圧部材２１と、によって原稿を搬送する原稿搬送装置であって、軸受部材９４を保持する保持部材１１を設け、軸受部材９４が、搬送ローラ９２と押圧部材とが圧接する状態で保持部材１１に保持される保持位置と、搬送ローラ９２と押圧部材とが離間する状態で保持部材１１に保持される他の保持位置と、保持部材１１から解離される解離位置とに回動可能な構成とした。【選択図】図１
2010202294.tif 000002
【特許請求の範囲】
【請求項１】
原稿を搬送する搬送ローラと、前記搬送ローラに回転駆動力を伝達する駆動軸と、前記駆動軸を回転自在に支持する軸受部材と、を有する搬送ローラユニットと、
前記搬送ローラに原稿を押し付ける押圧部材と、
によって原稿を搬送する原稿搬送装置であって、
前記軸受部材を保持する保持部材を設け、
前記軸受部材は少なくとも、
前記搬送ローラと前記押圧部材とが圧接する状態で前記軸受部材が前記保持部材に保持される保持位置と、
前記保持部材から前記軸受部材が解離可能となる解離位置との間で回動可能であり、
前記軸受部材を、前記保持位置から前記解離位置まで回動させる途中で、前記搬送ローラと前記押圧部材との圧接が解除されることを特徴とする原稿搬送装置。
【請求項２】
静止状態にある原稿を装置内に取り込むピックアップローラと、装置内に取り込まれた原稿を下流に送り出す搬送ローラと、前記ピックアップローラと前記搬送ローラとを保持するハウジングと、前記搬送ローラに回転駆動力を伝達する駆動軸と、前記駆動軸を回転自在に支持する軸受部材と、を有する搬送ローラユニットと、
前記搬送ローラに原稿を押し付ける分離部材と、
によって原稿を分離搬送する原稿搬送装置であって、
前記軸受部材を保持する保持部材を設け、
前記軸受部材は少なくとも、
前記搬送ローラと前記分離部材とが圧接する状態で前記軸受部材が前記保持部材に保持される保持位置と、
前記保持部材から前記軸受部材が解離可能となる解離位置との間で回動可能であり、
前記軸受部材を、前記保持位置から前記解離位置まで回動させる途中で、前記搬送ローラと前記押圧部材との圧接が解除されることを特徴とする原稿搬送装置。
【請求項３】
前記保持位置と前記解離位置との間に、前記軸受部材が前記保持部材に保持される他の保持位置を更に有し、該他の保持位置で前記軸受部材が保持されているとき、前記搬送ローラと前記押圧部材とは離間していることを特徴とする請求項１又は２に記載の原稿搬送装置。
【請求項４】
前記軸受部材は、前記保持部材に係合する係合部と、レバー部とを有し、
前記係合部は、前記駆動軸の中心軸上から外れた位置に配置され、
前記保持部材は前記係合部を係合するための、切り欠き部を有した略円筒形のＣ字形状部である軸受部材保持部と、前記レバー部を掛止めする第１の掛止め部及び第２の掛止め部と、を有し、
前記係合部が前記軸受部材保持部に係合している状態で、
前記軸受部材を前記保持部材に対して前記係合部を中心に回転させると、
前記軸受部材を前記保持位置に回動させたときに、前記レバー部が前記第１の掛止め部に掛止めされ、
前記軸受部材を前記他の保持位置に回動させたときに、前記レバー部が前記第２の掛止め部に掛止めされ、
前記軸受部材を前記解離位置に回動させたときに、前記係合部は前記軸受部材保持部に係合されなくなり、前記切り欠き部を通り抜けることを特徴とする請求項３に記載の原稿搬送装置。
【請求項５】
前記レバー部は手動操作を受けると前記軸受部材の弾性変形により変移可能であり、
前記軸受部材を手動操作により前記保持位置に回動させたときに、前記弾性変形により生じた弾性反力により前記レバー部が前記第１の掛止め部に掛止めされ
前記軸受部材を手動操作により前記他の保持位置に回動させたときに、前記弾性変形により生じた弾性反力により前記レバー部が前記第２の掛止め部に掛止めされる
ことを特徴とする請求項４に記載の原稿搬送装置。
【発明の詳細な説明】
【技術分野】
【０００１】
本発明は、ドキュメントスキャナ・複写機等の原稿を搬送する原稿搬送装置に関するものである。
【背景技術】
【０００２】
一般に、この種の原稿搬送装置では、搬送される原稿が痛んでいた場合に搬送路内で原稿がジャムすることがあるため、ユーザによるジャム処理が必要となっている。またユーザのメンテナンス作業として、搬送路内に落ちた紙粉等のゴミの清掃、汚れたローラの清掃、寿命に達したローラの交換等が必要となっている。図６〜１２を用いて原稿搬送装置におけるローラユニットの着脱を可能とする従来の機構の概略構成を説明する。
【０００３】
図６のように原稿搬送装置１は、給送部２で原稿Ｄを矢印Ｐ方向に給送し、その後ローラ対３及び４で原稿Ｄを搬送しながらＣＣＤ等の読取センサ５及び６で原稿Ｄの画像情報の読取りを行う装置である。この装置には、給送部のジャム処理やローラ交換等を行えるように、支持軸７ａを中心に回転可能なカバー７が備えられている。ジャム処理やローラ交換等の作業は、カバー７を矢印ｑ方向に回転させ開口させた状態で行われる。給送部２は、静止状態にある原稿Ｄを装置内に取り込むピックアップローラ９１と、装置内に取り込まれた原稿Ｄを下流に送り出す給送ローラ９２と、原稿Ｄを１枚ずつに分離する分離パッド２１から構成される。そしてピックアップローラ９１と給送ローラ９２はピックユニット９を構成する。
【０００４】
ここで従来のピックユニット９と分離パッド２１について図７〜１２を用いて説明する。
ピックユニット９には図７のように、駆動軸９３と、ピックユニット９を着脱する際に操作するレバー部を有する軸受部材９４が設けられている。駆動軸９３は、不図示の駆動源によって回転駆動される駆動部材１０に連結され、ピックアップローラ９１・給送ローラ９２に駆動力を伝達する。
【０００５】
軸受部材９４の構成を図８に示す。軸受部材９４は、装置内に固定された保持部材１１で保持される。軸受部材９４は、フラット面９４ａａが形成された軸部９４ａが保持部材１１のＣ字形状部１１ａに回動自在に支持され、突起部９４ｂが保持部材１１の穴部１１ｂに掛止めされることで保持される構成であり、ユーザの手動操作により図７記載の矢印ｒ方向の回動が可能である。図７では、突起部９４ｂが穴部１１ｂに掛止めされている状態であり、この時ピックユニット９は給送ローラ９２が分離パッド２１に接する状態で保持される。
【０００６】
ローラ交換等のメンテナンスでは、ユーザが図９のように軸受部材９４のレバー部を矢印ｒ方向に９０度回動させるよう操作し、その位置で図１０のようにピックユニット９を矢印Ｓ方向に持ち上げると軸部９４ａとＣ字形状部１１ａの嵌め合いが外れ、ピックユニット９は装置から取り外すことができる。
【０００７】
分離パッド２１は図１１、１２に示すように、支持軸２１ａを中心に回動可能で、ジャム処理レバー８の回動操作により矢印ｔ方向の移動が可能である。ジャム処理レバー８は軸部８ａを中心に回転可能で、カム部８ｂが分離パッド２１の溝部２１ｂに嵌められた構成となっている。
【０００８】
ジャム処理操作では、ユーザがジャム処理レバー８を矢印ｕ方向に所定角度回転操作すると、図１２のように分離パッド２１が給送ローラ９２から離間する。その状態において、ユーザはジャムした原稿を図６内の矢印Ｖ方向に楽に引き抜くことができる。上記のような構成は例えば特許文献１、特許文献２に開示されている。
【特許文献１】特開２００４−１３６９９９号公報
【特許文献２】特開２００７−１７６６７９号公報
【発明の開示】
【発明が解決しようとする課題】
【０００９】
しかしながら、従来の原稿搬送装置では、例えばジャム処理レバー８とローラ交換用の軸受部材９４とが別々の部品であるためコストが高い。又、ジャム処理時に分離パッド２１を移動させる構成であるため、分離パッド２１を移動させるスペースと、ジャム処理レバー８の軸部８ａを分離パッド２１の下部に配置するスペースとが必要となり、製品寸法が大きくなってしまう。また、特許文献１の装置ではローラ交換用の軸受部材は無いが、原稿搬送装置１と同様に分離パッドを移動させる構成であるため製品寸法が大きくなってしまう。又、特許文献２の装置では、給送ローラと分離パッドの圧接を解除するため解除コロが設けられているため部品点数が多くなる。
【００１０】
本発明は上記問題点を解消するためになされたものであって、その目的は部品点数を少なくして構成を簡単にすることができ、かつ装置の小型化を実現できる原稿読取装置を提供することにある。
【課題を解決するための手段】
【００１１】
上記目的を達成するために、本発明の画像読取装置は、原稿を搬送する搬送ローラと、
前記搬送ローラに回転駆動力を伝達する駆動軸と、前記駆動軸を回転自在に支持する軸受部材と、を有する搬送ローラユニットと、前記搬送ローラに原稿を押し付ける押圧部材と、によって原稿を搬送する原稿搬送装置であって、前記軸受部材を保持する保持部材を設け、前記軸受部材は少なくとも、前記搬送ローラと前記押圧部材とが圧接する状態で前記軸受部材が前記保持部材に保持される保持位置と、前記保持部材から前記軸受部材が解離可能となる解離位置との間で回動可能であり、前記軸受部材を、前記保持位置から前記解離位置まで回動させる途中で、前記搬送ローラと前記押圧部材との圧接が解除されることを特徴とする。
【００１２】
また、上記目的を達成するために、本発明の画像読取装置は、静止状態にある原稿を装置内に取り込むピックアップローラと、装置内に取り込まれた原稿を下流に送り出す搬送ローラと、前記ピックアップローラと前記搬送ローラとを保持するハウジングと、前記搬送ローラに回転駆動力を伝達する駆動軸と、前記駆動軸を回転自在に支持する軸受部材と、を有する搬送ローラユニットと、前記搬送ローラに原稿を押し付ける分離部材と、によって原稿を分離搬送する原稿搬送装置であって、前記軸受部材を保持する保持部材を設け、前記軸受部材は少なくとも、前記搬送ローラと前記分離部材とが圧接する状態で前記軸受部材が前記保持部材に保持される保持位置と、前記保持部材から前記軸受部材が解離可能となる解離位置との間で回動可能であり、前記軸受部材を、前記保持位置から前記解離位置まで回動させる途中で、前記搬送ローラと前記押圧部材との圧接が解除されることを特徴とする。
【発明の効果】
【００１３】
本発明によれば、ローラ交換用レバーとジャム処理レバーを兼用にすることで部品点数が減り構成がシンプルにできかつコストダウンできる。また、分離パッドの移動機構のためのスペースが省略されるため装置の小型化を実現できる。
【発明を実施するための最良の形態】
【００１４】
以下、本発明の実施の形態を図面を参照しながら説明する。
【実施例１】
【００１５】
図１〜３は実施形態のピックユニット（搬送ローラユニット）９の構成図である。尚、この構成は概略構成であり、本構成に限るものではない。
【００１６】
ピックユニット９には図１に示すように、駆動軸９３を回転自在に支持するとともに、ピックユニット９を着脱自在にしかつ給送ローラ９２を分離パッド２１に対して接離自在にする軸受部材９４が設けられている。またハウジング９ａが給送ローラ９２とピックアップローラ９１を保持している。駆動軸９３は、不図示の駆動源によって回転駆動される駆動部材１０に連結され、ピックアップローラ９１と給送ローラ９２に回転駆動力を伝達する。
【００１７】
レバー状の軸受部材９４の構成を図２に示す。軸受部材９４は、装置内に固定された保持部材１１で保持される。軸受部材９４は、フラット面９４ａａが形成された軸部（係合部）９４ａが、駆動軸９３の中心軸上から外れた位置に配置されている。また、軸受部材９４は駆動軸９３の中心軸を挟んで軸部９４ａとは反対側に、ユーザ操作を受けるためのレバー部を有している。軸部９４ａは保持部材１１の略円筒状のＣ字形状部（軸受部材保持部）１１ａに回動可能に支持され、レバー部に形成された突起部９４ｂが保持部材１１の穴部（第１の掛止め部）１１ｂまたは穴部（第２の掛止め部）１１ｃに掛止めされることで保持される構成であり、ユーザの操作により図１記載の矢印Ｗ方向に回動させることが可能である。軸受部材９４は例えば弾性変形が容易な樹脂材料で形成され、軸受部材９４を回動させるときに穴部１１ｂまたは穴部１１ｃへの突起部９４ｂの掛止めを解除するために、ユーザの操作により弾性変形が可能（変移可能）である。突起部９４ｂを穴部１１ｂまたは穴部１１ｃへ掛止めする際には、上記弾性変形により生じた弾性反力により突起部９４ｂが穴部１１ｂまたは穴部１１ｃの方向に移動するようになっている。図１では、突起部９４ｂが穴部１１ｂに掛止めされている状態（保持位置に保持された状態）であり、この時ピックユニット９は給送ローラ９２が図６に示すように分離パッド２１に接する状態で保持される。このようにピックユニット９は分離パッド２１とともに、原稿を分離搬送する機構を構成している。図６に示す構成は概略構成であるため従来例の説明と本実施例の説明とで図６を共通に用いて説明する。軸受部材９４に例えば金属板等を使用して、弾性変形を可能にしてもよい。
【００１８】
図３のように、ユーザ操作で軸受部材９４のレバー部を弾性変形により変位させながら図１の状態から所定の角度回動させると、弾性変形により生じた弾性反力により突起部９４ｂが穴部１１ｃに嵌って、軸受部材９４が保持される。また穴部１１ｃに嵌る位置まで回動させる途中でピックユニット９は給送ローラ９２が分離パッド２１から離間するので、
この離間した位置で保持される。すなわち上記保持位置とは異なる他の保持位置に保持された状態となる。この保持状態において、ユーザはジャムした原稿を図６に示す矢印Ｖ方向に楽に引き抜くことができる。
【００１９】
図４のように、ユーザが軸受部材９４を図１の状態から９０度回動させ、その位置（解離可能となる解離位置）で図５のように軸受部材８を矢印Ｘ方向に持ち上げると軸部９４ａとＣ字形状部１１ａの嵌め合いが外れ、ピックユニット９は装置から取り外すことができる。
【００２０】
また、上記実施形態においては、ピックユニット９にピックアップローラ９１と給送ローラ９２を設けた場合を説明したが、ピックユニット９がピックアップローラ９１を設けない構成であってもよい。
【００２１】
また、上記実施形態においては、給紙部の搬送ローラに上記のレバー状の軸受部材を設けた場合を説明したが、給紙部よりも下流に配設された搬送ローラに上記のレバー状の軸受部材を設ける構成であってもよい。この場合搬送ローラに押圧される押圧部材としては押圧パッドや押圧ローラを使用することができる。
【００２２】
また、他の保持位置を設けない場合は、ジャムした原稿を引き抜く際に突起部９４ｂが穴部１１ｃから外れる位置まで、ユーザ操作でレバー状の軸受部材を回動してユーザが保持するようにしてもよい。
【００２３】
また、給紙部の搬送ローラに押圧される分離部材は分離パッドの他に分離ローラであってもよい。
【図面の簡単な説明】
【００２４】
【図１】実施例のピックユニットの概略図（通常使用時）
【図２】実施例の軸受部材の概略図
【図３】実施例のピックユニットの概略図（ジャム処理時）
【図４】実施例のピックユニットの概略図（ローラ交換の第１操作時）
【図５】実施例のピックユニットの概略図（ローラ交換の第２操作時）
【図６】原稿搬送装置の概略図
【図７】従来例のピックユニット（通常使用時）
【図８】従来例の軸受部材の概略図
【図９】従来例のピックユニット（ローラ交換の第１操作時）
【図１０】従来例のピックユニット（ローラ交換の第２操作時）
【図１１】従来例の分離パッド（通常使用時）
【図１２】従来例の分離パッド（ジャム処理時）
【符号の説明】
【００２５】
Ｄ  原稿
１  原稿搬送装置
２  給紙部
３  ローラ対
４  ローラ対
５  読取センサ
６  読取センサ
７  カバー
７ａ  支持軸
８  ジャム処理レバー
８ａ  軸部
８ｂ  カム部
９  ピックユニット（搬送ローラユニット）
９ａ  ハウジング
１０  駆動部材
１１  保持部材
１１ａ  Ｃ字形状部
１１ｂ  穴部
１１ｃ  穴部
２１  分離パッド（押圧部材）
２１ａ  支持軸
２１ｂ  溝部  
９１  ピックアップローラ
９２  給送ローラ（搬送ローラ）
９３  駆動軸
９４  軸受部材
９４ａ  軸部（係合部）
９４ａａ  フラット面
９４ｂ  突起部
【図１】
2010202294.tif 000003
【図２】
2010202294.tif 000004
【図３】
2010202294.tif 000005
【図４】
2010202294.tif 000006
【図５】
2010202294.tif 000007
【図６】
2010202294.tif 000008
【図７】
2010202294.tif 000009
【図８】
2010202294.tif 000010
【図９】
2010202294.tif 000011
【図１０】
2010202294.tif 000012
【図１１】
2010202294.tif 000013
【図１２】
2010202294.tif 000014